(57)【要約】  本発明の目的は、ＭＴＣグループメッセージ配信を実装するための方法および装置を提供することである。ＭＴＣ−ＩＷＦは、ＰＣＲＦからポリシー情報を取得し、ＭＴＣグループメッセージ配信のポリシー情報をＰＣＲＦに導入することにより、ポリシー情報にしたがってＭＴＣグループメッセージの配信を制御する。柔軟なポリシー制御メカニズムを導入することによって、オペレータが、様々なＭＴＣグループメッセージ配信ルールを定義し、カスタマイズするのに役立ち得る。ＭＴＣ  ＡＳおよびＭＴＣグループの増加に伴い、オペレータは、より良いネットワークを選択し、ネットワークリソースの使用を制御し、これによって、ネットワークを最適化するという目的を達成することができる。
2019525555.tif 000002
【特許請求の範囲】
【請求項１】
ＭＴＣ−ＩＷＦにおいてＭＴＣグループメッセージの配信を制御するための方法であって、
Ａ．ＳＣＳから要求メッセージを受信することであって、要求メッセージは、グループ識別情報を備え、ＳＣＳは、グループ内のＵＥにメッセージを送信することを要求することと、
Ｂ．ポリシー情報要求をＰＣＲＦに送信することであって、ポリシー情報要求は、グループに関する識別情報と、グループのメッセージ配信のポリシーに関するＰＣＲＦに対する要求とを備えることと、
Ｃ．ＰＣＲＦからポリシー情報要求に対する返信を受信することであって、返信は、グループのメッセージ配信のためのポリシーを備えることと、
Ｄ．ポリシーにしたがって、グループのメッセージ配信を制御することと
を備える、方法。
【請求項２】
グループのメッセージ配信のためのポリシーが、グループメッセージ配信を制御するためのグループに対応する少なくとも１つのルールを備え、ルールが、
−  特定の時間または地域またはコンテンツに対応するホワイトリスト、
−  特定の時間または地域またはコンテンツに対応するブラックリスト、
−  メッセージ配信に関する時間制限、
−  グループサイズに関する制約、
−  ＵＥ返信のためのポリシー、
−  グループメッセージのルーティングパス、
のうちの少なくとも１つを備える、請求項１に記載の方法。
【請求項３】
ステップＤが、
現在の時間が、メッセージ配信を許可する時間ではない場合、インジケーションメッセージをＳＣＳに送信することであって、インジケーションメッセージが、メッセージ配信を許可する時間を備えていることと、
メッセージ配信を許可する時間が到来すると、ＳＣＳからの要求メッセージに応答して、グループ内のＵＥにメッセージを送信することとをさらに備える、請求項１または２に記載の方法。
【請求項４】
ステップＤが、
前記ポリシーが、グループサイズに関する制約を備え、かつグループの現在のメンバの数が、グループによって許可された最大数より大きい場合、グループによって許可された最大数にしたがって、グループを、複数のサブグループに分割し、その後、複数のサブグループそれぞれにメッセージを送信することをさらに備える、請求項１または２に記載の方法。
【請求項５】
ステップＤが、
ポリシーが、グループメッセージのルーティングパスを備えている場合、ルーティングパスによって指定されたネットワーク要素を介して、グループ内のＵＥにメッセージを送信することをさらに備える、請求項１または２に記載の方法。
【請求項６】
ＨＳＳから、グループのグループデータを獲得することをさらに備え、
ステップＤが、グループのポリシーおよびグループデータにしたがって、グループのメッセージ配信を制御することをさらに備える、請求項１または２に記載の方法。
【請求項７】
ＭＴＣ−ＩＷＦにおいてＭＴＣグループメッセージの配信を制御するための装置であって、
ＳＣＳから要求メッセージを受信するように構成された第１の受信手段であって、要求メッセージは、グループ識別情報を備え、ＳＣＳは、グループ内のＵＥにメッセージを送信することを要求する、手段と、
ポリシー情報要求をＰＣＲＦに送信するように構成された第１の送信手段であって、ポリシー情報要求は、グループに関する識別情報と、グループのメッセージ配信のポリシーに関するＰＣＲＦに対する要求とを備える、手段と、
ＰＣＲＦからポリシー情報要求に対する返信を受信するように構成された第１の受信手段であって、返信は、グループのメッセージ配信のためのポリシーを備える、手段と、
ポリシーにしたがって、グループのメッセージ配信を制御するように構成された制御手段とを備える、装置。
【請求項８】
グループのメッセージ配信のためのポリシーが、グループメッセージ配信を制御するためのグループに対応する少なくとも１つのルールを備え、ルールが、
−  特定の時間または地域またはコンテンツに対応するホワイトリスト、
−  特定の時間または地域またはコンテンツに対応するブラックリスト、
−  メッセージ配信に関する時間制限、
−  グループサイズに関する制約、
−  ＵＥ返信のためのポリシー、
−  グループメッセージのルーティングパス、
のうちの少なくとも１つを備える、請求項７に記載の装置。
【請求項９】
制御手段が、
現在の時間が、メッセージ配信を許可する時間ではない場合、インジケーションメッセージをＳＣＳに送信し、インジケーションメッセージが、メッセージ配信を許可する時間を備え、
メッセージ配信を許可する時間が到来すると、ＳＣＳからの要求メッセージに応答して、グループ内のＵＥにメッセージを送信するようにさらに構成された、請求項７または８に記載の装置。
【請求項１０】
制御手段が、
前記ポリシーが、グループサイズに関する制約を備え、かつグループの現在のメンバの数が、グループによって許可された最大数より大きい場合、グループによって許可された最大数にしたがって、グループを、複数のサブグループに分割し、その後、複数のサブグループそれぞれにメッセージを送信するようにさらに構成された、請求項７または８に記載の装置。
【請求項１１】
制御手段が、
ポリシーが、グループメッセージのルーティングパスを備えている場合、ルーティングパスによって指定されたネットワーク要素を介して、グループ内のＵＥにメッセージを送信するようにさらに構成された、請求項７または８に記載の装置。
【請求項１２】
制御手段が、
ＨＳＳから、グループのグループデータを獲得するようにさらに構成され、
ステップＤが、グループのポリシーおよびグループデータにしたがって、グループのメッセージ配信を制御することをさらに備える、請求項７または８に記載の装置。
【発明の詳細な説明】
【技術分野】
【０００１】
本開示は、通信技術の分野に関し、より詳細には、グループメッセージ配信のための技術に関する。
【背景技術】
【０００２】
ＭＴＣとしても知られているモノのインターネット（ＩｏＴ）は、広く使用され、急速に発展している。ＭＴＣデバイスの特性により、ＭＴＣメッセージ配信のほとんどは、グループベースのメッセージ配信である。３ＧＰＰのＭＴＣ（マシンタイプ通信：Ｍａｃｈｉｎｅ  Ｔｙｐｅ  Ｃｏｍｍｕｎｉｃａｔｉｏｎ）ソリューションは、グループメッセージ配信メカニズムを定義している。グループメッセージ配信は、ＳＣＳ（サービス能力サーバ：Ｓｅｒｖｉｃｅ  Ｃａｐａｂｉｌｉｔｙ  Ｓｅｒｖｅｒ）またはＡＳ（アプリケーションサーバ：Ａｐｐｌｉｃａｔｉｏｎ  Ｓｅｒｖｅｒ）の要件に応答して、ＭＴＣ機能を用いて、同一コンテンツを、特定の地理的エリア内のメンバのグループに送信するネットワークに言及する。
【０００３】
現在、ＭＴＣグループメッセージ配信は、主にＭＢＭＳ（マルチメディアブロードキャストマルチキャストサービス：Ｍｕｌｔｉｍｅｄｉａ  Ｂｒｏａｄｃａｓｔ  Ｍｕｌｔｉｃａｓｔ  Ｓｅｒｖｉｃｅ）に基づいており、３ＧＰＰもまた、ＭＢＭＳに基づくＭＢＭＳグループメッセージ配信のプロセスを定義している。
【０００４】
しかしながら、ＭＴＣグループメッセージの現在の配信メカニズムにはポリシー制御がない。オペレータまたはユーザは、ＭＴＣグループメッセージ配信のためのポリシーを定義することができず、ＭＴＣグループメッセージの配信を制御することができず、特に、異なるＡＳの要件、グループ特性、メッセージタイプ、ネットワーク能力および負荷、ＵＥ能力または位置または時間等のような様々な情報にしたがって、ＭＴＣグループメッセージの配信を制御することができない。
【発明の概要】
【発明が解決しようとする課題】
【０００５】
本開示は、ＭＴＣグループメッセージ配信を実装するための方法および装置を提供することを目的とする。
【課題を解決するための手段】
【０００６】
本開示の第１の態様によれば、ＭＴＣ−ＩＷＦにおいてＭＴＣグループメッセージの配信を制御するための方法が提供され、方法は、Ａ．ＳＣＳから要求メッセージを受信することであって、要求メッセージは、グループ識別情報を備え、ＳＣＳは、グループ内のＵＥにメッセージを送信することを要求することと、Ｂ．ポリシー情報要求をＰＣＲＦに送信することであって、ポリシー情報要求は、グループに関する識別情報と、グループのメッセージ配信のポリシーに関するＰＣＲＦに対する要求とを備えることと、Ｃ．ＰＣＲＦからポリシー情報要求に対する返信を受信することであって、返信は、グループのメッセージ配信のためのポリシーを備えることと、Ｄ．ポリシーにしたがって、グループのメッセージ配信を制御することとを備える。
【０００７】
好適には、グループのメッセージ配信のためのポリシーは、グループメッセージ配信を制御するためのグループに対応する少なくとも１つのルールを備え、ルールが：
−  特定の時間または地域またはコンテンツに対応するホワイトリスト、
−  特定の時間または地域またはコンテンツに対応するブラックリスト、
−  メッセージ配信に関する時間制限、
−  グループサイズに関する制約、
−  ＵＥ返信のためのポリシー、
−  グループメッセージのルーティングパス、
のうちの少なくとも１つを備える。
【０００８】
好適には、ステップＤは、現在の時間が、メッセージ配信を許可する時間ではない場合、インジケーションメッセージをＳＣＳに送信することであって、インジケーションメッセージが、メッセージ配信を許可する時間を備えていることと、メッセージ配信を許可する時間が到来すると、ＳＣＳからの要求メッセージに応答して、グループ内のＵＥにメッセージを送信することとをさらに備える。
【０００９】
好適には、ステップＤは、前記ポリシーが、グループサイズに関する制約を備え、かつグループの現在のメンバの数が、グループによって許可された最大数より大きい場合、グループによって許可された最大数にしたがって、グループを、複数のサブグループに分割し、その後、複数のサブグループそれぞれにメッセージを送信することをさらに備える。
【００１０】
好適には、ステップＤは、ポリシーが、グループメッセージのルーティングパスを備えている場合、ルーティングパスによって指定されたネットワーク要素を介して、グループ内のＵＥにメッセージを送信することをさらに備える。
【００１１】
好適には、この方法は、ＨＳＳから、グループのグループデータを獲得することをさらに備え、ステップＤは、グループのポリシーおよびグループデータにしたがって、グループのメッセージ配信を制御することをさらに備える。
【００１２】
本開示の第２の態様によれば、ＭＴＣ−ＩＷＦにおいてＭＴＣグループメッセージの配信を制御するための装置が提供され、装置は、ＳＣＳから要求メッセージを受信するように構成された第１の受信手段であって、要求メッセージは、グループ識別情報を備え、ＳＣＳは、グループ内のＵＥにメッセージを送信することを要求する、手段と、ポリシー情報要求をＰＣＲＦに送信するように構成された第１の送信手段であって、ポリシー情報要求は、グループに関する識別情報と、グループのメッセージ配信のポリシーに関するＰＣＲＦに対する要求とを備える、手段と、ＰＣＲＦからポリシー情報要求に対する返信を受信するように構成された第１の受信手段であって、返信は、グループのメッセージ配信のためのポリシーを備える、手段と、ポリシーにしたがって、グループのメッセージ配信を制御するように構成された制御手段とを備える。
【００１３】
好適には、グループのメッセージ配信のためのポリシーは、グループメッセージ配信を制御するためのグループに対応する少なくとも１つのルールを備え、ルールが：
−  特定の時間または地域またはコンテンツに対応するホワイトリスト、
−  特定の時間または地域またはコンテンツに対応するブラックリスト、
−  メッセージ配信に関する時間制限、
−  グループサイズに関する制約、
−  ＵＥ返信のためのポリシー、
−  グループメッセージのルーティングパス、
のうちの少なくとも１つを備える。
【００１４】
好適には、制御手段は、現在の時間が、メッセージ配信を許可する時間ではない場合、インジケーションメッセージをＳＣＳに送信し、インジケーションメッセージが、メッセージ配信を許可する時間を備え、メッセージ配信を許可する時間が到来すると、ＳＣＳからの要求メッセージに応答して、グループ内のＵＥにメッセージを送信するようにさらに構成される。
【００１５】
好適には、制御手段は、前記ポリシーが、グループサイズに関する制約を備え、かつグループの現在のメンバの数が、グループによって許可された最大数より大きい場合、グループによって許可された最大数にしたがって、グループを、複数のサブグループに分割し、その後、複数のサブグループそれぞれへメッセージを送信するようにさらに構成される。
【００１６】
好適には、制御手段は、ポリシーが、グループメッセージのルーティングパスを備えている場合、ルーティングパスによって指定されたネットワーク要素を介して、グループ内のＵＥにメッセージを送信するようにさらに構成される。
【００１７】
好適には、制御手段は、ＨＳＳから、グループのグループデータを獲得するようにさらに構成され、ステップＤは、グループのポリシーおよびグループデータにしたがって、グループのメッセージ配信を制御することをさらに備える。
【００１８】
ＭＴＣグループメッセージ配信のための既存の技術と比較して、本開示は、ＭＴＣグループメッセージ配信のためのポリシー制御を提案する。柔軟なポリシー制御メカニズムを導入することによって、オペレータが、ＭＴＣグループメッセージ配信のための様々なルールを定義およびカスタマイズするのに役立ち得る。ＭＴＣ  ＡＳおよびＭＴＣグループの増加に伴い、オペレータは、より良い手法でネットワークを選択し、ネットワークリソースの使用を制御し、これによって、ネットワークを最適化するという目的を達成することができる。
【００１９】
本開示の他の特徴、目的、および利点は、添付の図面を参照しながら、以下の限定しない例の詳細な記載を読むことによって、より明らかになるであろう。
【図面の簡単な説明】
【００２０】
【図１】本開示の実施形態によるＭＴＣグループメッセージ配信を実装するためのプロセスの概略図である。
【図２】本開示の実施形態によるＭＴＣ−ＩＷＦにおいてＭＴＣグループメッセージ配信を実装するためのデバイスの概略図である。
【発明を実施するための形態】
【００２１】
図面中の同一または類似の参照番号は、同一または類似の部分を表す。
【００２２】
最初に、記載において見られるいくつかの英語の略語が記載される：
ＡＳ：アプリケーションサーバ
ＨＳＳ：ホーム加入者サーバ
ＭＭＥ：モビリティ管理エンティティ
ＭＳＣ：移動通信交換局
ＭＴＣ−ＩＷＦ：マシンタイプ通信−インターワーキング機能
ＳＣＳ：サービス能力サーバ
ＳＧＳＮ：サービングＧＰＲＳサポートノード
ＳＭＳ−ＳＣ：ショートメッセージサービス−サービスセンタ
【００２３】
従来技術における上述した問題を解決するために、本開示は、ＭＴＣグループメッセージの配信を制御するためにＰＣＲＦが使用されることを提案する。ＰＣＲＦとＭＴＣ−ＩＷＦとの間に、新たなＲｘインターフェースが追加される。ＭＴＣ−ＩＷＦは、新たに追加されたＲｘインターフェースを介して、ＰＣＲＦから、ＭＴＣグループメッセージ配信のためのポリシーを取得し、その後、このポリシーにしたがって、ＭＴＣグループメッセージの配信を制御する。
【００２４】
本開示は、添付の図面を参照しながら、さらに詳細に記載される。
【００２５】
図１は、本開示の実施形態によるＭＴＣグループメッセージ配信を実装するためのプロセスの概略図を図示する。この実施形態では、ＭＴＣグループ１は、ＵＥ１１、ＵＥ１２、．．．、ＵＥ１ｎ（図示せず）を含む。
【００２６】
プロセスは、ステップＳ１０１において開始する。
【００２７】
ステップＳ１０１において、ＳＣＳ１７は、ＭＴＣグループ１のすべてのメンバにグループメッセージを送信することを決定し、ＳＣＳ１７は、図１に図示されるデバイストリガのような要求メッセージを、ＭＴＣ−ＩＷＦ１６に送信し、要求メッセージは、ＳＣＳ１７の識別情報と、ＭＴＣグループ１の識別情報とを備える。図１に図示されるデバイストリガは単なる例示であり、本開示は、他のグループメッセージの配信要求にも適用可能である。
【００２８】
次に、ステップＳ１０２において、ＭＴＣ−ＩＷＦ１６は、ＳＣＳ１７が、グループメッセージ要求を送信する権限を有するか否かを決定する。
【００２９】
ＳＣＳ１７がグループメッセージを送信する権限を有するとＭＴＣ−ＩＷＦ１６が決定した場合、ＭＴＣ−ＩＷＦ１６は、ステップＳ１０３において、ユーザ情報要求をＨＳＳ１５に送信し、ユーザ情報要求は、ＳＣＳ１７の識別情報と、ＭＴＣグループ１の識別情報とを備え、ＳＣＳ１７が、ＭＴＣグループ１のすべてのメンバにグループメッセージを送信することを要求するＨＳＳ１５を示すために使用される。ユーザ情報要求は、加入者情報要求メッセージであり得る。
【００３０】
その後、ＨＳＳ１５は、受信されたユーザ情報要求に基づいて、ＭＴＣグループ１に対応するグループデータ、たとえば、ＭＴＣグループ１のグループ基本情報、ＭＴＣグループ１のグループメンバの基本情報、位置情報またはローミング情報等を検索する。
【００３１】
次に、ステップＳ１０４において、ＨＳＳ１５は、ユーザ情報要求に対する返信を、ＭＴＣ−ＩＷＦ１６に送信し、返信は、ＭＴＣグループ１のグループメンバ等に関する情報を備えるＭＴＣグループ１に対応する上述したグループデータを含む。ユーザ情報要求に対する返信は、加入者情報回答メッセージであり得る。
【００３２】
ユーザ情報要求に対する返信を受信した後、ＭＴＣ−ＩＷＦ１６は、ＭＴＣグループ１に含まれるすべてのグループメンバを知ることができ、その後、ステップＳ１０５において、ＭＴＣ−ＩＷＦ１６は、ポリシー情報要求をＰＣＲＦ１４へ送信し、ポリシー情報要求は、ＭＴＣグループ１の識別情報と、ＭＴＣグループ１のメッセージ配信のポリシーに関するＰＣＲＦ１４に対する要求とを備える。
【００３３】
ＰＣＲＦ１４は、ＭＴＣグループメッセージに関連するポリシー情報を事前記憶しており、ポリシー情報は、オペレータによって事前設定されてもよく、少なくとも、ＭＴＣグループ識別情報と、ＭＴＣグループに対応するルールとを含む。これらのルールは、限定されないが：
−  特定の時間または地域またはコンテンツに対応するホワイトリスト。すなわち、ＭＴＣグループメッセージは、特定の時間において、ホワイトリスト上のＵＥにのみ送られる。または、ＭＴＣグループメッセージは、特定の地域におけるホワイトリスト上のＵＥにのみ送られる。または、特定のコンテンツについて、ＭＴＣグループメッセージは、ホワイトリスト上のＵＥにのみ送られる。
−  特定の時間または地域またはコンテンツに対応するブラックリスト。すなわち、ＭＴＣグループメッセージは、特定の時間内に、ブラックリスト上のＵＥに送られることができない。または、ＭＴＣグループメッセージは、特定の地域におけるブラックリスト上のＵＥに送られることができない。または、特定のコンテンツについて、ＭＴＣグループメッセージは、ブラックリスト上のＵＥに送られることはできない。
−  メッセージ配信に関する時間制限。たとえば、ネットワークの輻輳を緩和するために、メッセージは特定の期間においてのみ送られ得る。
−  グループサイズに関する制約。これは、グループによって許可されるＵＥの最大数に言及する。このようにして、より大きなグループによって生成された過剰なメッセージが、ネットワーク処理における負荷を増大させることを阻止し得る。ポリシーが、グループサイズに関する制約を備え、かつグループの現在のメンバの数が、グループによって許可された最大数より大きい場合、ＭＴＣ−ＩＷＦは、最大数にしたがってグループを複数のサブグループに分割し、その後、複数のサブグループそれぞれにグループメッセージを送信し得る。
−  ＵＥ返信のためのポリシー、これは、ＵＥ返信が要求されているか否か、ＵＥ返信が要求される場合は、中継を許可する時間に言及する。
−  グループメッセージのルーティングパス。これは、グループメッセージが、どのネットワーク要素：ＭＭＥまたはＳＭＳＣまたはＰＧＷまたは他のネットワーク要素、によって送られるのかに言及する。ルーティングパスを指定することによって、パスを最適化し、ネットワーク負荷を軽減するという目的が達成され得る。
−  グループメッセージの中継モード。これは、メッセージが、ＧＷまたはプライマリＵＥのいずれを介して中継されるかに言及する。
のうちの１つまたは複数であり得る。
【００３４】
ＭＴＣ−ＩＷＦ１６によって送られたポリシー情報要求を受信した後、ＰＣＲＦ１４は、ＭＴＣグループ１の識別情報にしたがって、グループに対応するポリシー情報を検索し、その後、ポリシー情報を、ＭＴＣ−ＩＷＦ１６に送信する。
【００３５】
ステップＳ１０６において、ＰＣＲＦ１４は、ポリシー情報要求に対する返信をＭＴＣ−ＩＷＦ１６に送信し、返信は、ＭＴＣグループ１のグループメッセージ配信に関するポリシーを備える。
【００３６】
その後、ステップＳ１０７において、ＭＴＣ−ＩＷＦ１６は、受信されたポリシーにしたがって、ＭＴＣグループ１のグループメッセージの配信を制御する。ＭＴＣ−ＩＷＦ１６は、ポリシー情報におけるルールにしたがって、そして、現在の条件を考慮に入れて、ＭＴＣグループ１内のグループメンバのメッセージの配信を制御、すなわち、ＭＴＣグループ１内の各メンバのデバイストリガプロセスを順にトリガする。ここにおける、およびステップＳ１０８において図示される後続するプロセスは、従来技術に属し、ここでは記載されない。
【００３７】
実施形態では、ポリシー情報は、メッセージ配信に関する時間制限の情報を含む。現在の時間が、メッセージ配信を許可する時間ではない場合、ＭＴＣ−ＩＷＦ１６は、メッセージ配信を許可する時間を備えるインジケーションメッセージをＳＣＳ１７に送信する。上述したインジケーションメッセージを受信すると、ＳＣＳ１７は、メッセージ配信を許可する時間が到来したときに、要求メッセージをＭＴＣ−ＩＷＦ１６に再び送信する。このとき、ＭＴＣ−ＩＷＦ１６は、ＭＴＣグループ１内のメンバＵＥにグループメッセージを送信し得る。
【００３８】
さらに別の実施形態では、ポリシー情報は、グループサイズに関する制約の情報を含む。ポリシーが、グループサイズに関する制約を備え、ＭＴＣグループ１の現在のメンバの数が、グループによって許可された最大数より大きい場合、ＭＴＣ−ＩＷＦ１６は、最大数にしたがって、グループを複数のサブグループに分割し、その後、複数のサブグループそれぞれにグループメッセージを送信し得る。
【００３９】
さらに別の実施形態では、ポリシー情報は、グループメッセージのルーティングパスの情報を含む。ポリシーが、グループメッセージのルーティングパスを備えている場合、ＭＴＣ−ＩＷＦ１６は、ルーティングパスによって指定されたネットワーク要素を介して、ＭＴＣグループ１内のＵＥにメッセージを送信する。
【００４０】
さらに別の実施形態では、ＭＴＣ−ＩＷＦ１６は、ＭＴＳグループ１内のグループメンバのメッセージ配信を制御するために、受信されたポリシー情報を、ＨＳＳ１５から取得されたＭＴＣグループ１のグループデータと、さらに組み合わせ得る。たとえば、ＭＴＣ−ＩＷＦ１６は、ステップＳ１０４において、ＨＳＳ１５からグループメンバの基本情報または位置情報またはローミング情報を取得し、ときにはこの情報は、グループメッセージの配信ルールを定義するために使用される。
【００４１】
図２は、本開示の実施形態によるＭＴＣ−ＩＷＦ１６においてＭＴＣグループメッセージ配信を実装するための装置の概略図を図示する。装置２００は、第１の受信手段２０１と、第１の送信手段２０２と、第２の受信手段２０３と、制御手段２０４とを含む。
【００４２】
この実施形態では、ＭＴＣグループ１は、ＵＥ１１、ＵＥ１２、．．．、ＵＥ１ｎ（図示せず）を含む。
【００４３】
装置２００の動作は、図１を参照しながら、以下に詳細に記載される。
【００４４】
先ず、第１の受信手段２０１は、図１に図示されるデバイストリガのように、ＳＣＳ１７から、要求メッセージを受信し、要求メッセージは、ＳＣＳ１７の識別情報と、ＭＴＣグループ１の識別情報とを備え、ＳＣＳ１７は、ＭＴＣグループ１のすべてのメンバにグループメッセージを送信するように要求する。図１に図示されるデバイストリガは単なる例示であり、本開示は、他のグループメッセージの配信要求にも適用可能である。
【００４５】
次に、ＭＴＣ−ＩＷＦ１６は、ＳＣＳ１７がグループメッセージ要求を送信する権限を有するか否かを決定する。
【００４６】
ＭＴＣ−ＩＷＦ１６は、ＳＣＳ１７がグループメッセージを送信する権限を有すると決定した場合、ＭＴＣ−ＩＷＦ１６はその後、ユーザ情報要求をＨＳＳ１５に送信し、ユーザ情報要求は、ＳＣＳ１７の識別情報と、ＭＴＣグループ１の識別情報とを備え、ＳＣＳ１７がグループメッセージをＭＴＣグループ１のすべてのメンバに送信することを要求していることを、ＨＳＳ１５に示すために使用される。ユーザ情報要求は、加入者情報要求メッセージであり得る。
【００４７】
その後、ＭＴＣ−ＩＷＦ１６は、、ユーザ情報要求に対する返信を、ＨＳＳ１５から受信し、ユーザ情報要求は、ＭＴＳグループ１のグループメンバに関する情報等を備えた、ＭＴＣグループ１に対応する上述したグループデータを含む。ユーザ情報要求に対する返信は、加入者情報回答メッセージであり得る。
【００４８】
ユーザ情報要求に対する返信を受信した後、ＭＴＣ−ＩＷＦ１６は、ＭＴＣグループ１に含まれるすべてのグループメンバを知ることができ、その後、第１の送信手段２０２は、ポリシー情報要求を、ＰＣＲＦ１４に送信し、ポリシー情報要求は、ＭＴＣグループ１の識別情報と、ＭＴＣグループ１のメッセージ配信のポリシーに関するＰＣＲＦ１４への要求とを備える。
【００４９】
ＰＣＲＦ１４は、ＭＴＣグループメッセージに関連するポリシー情報を事前記憶しており、ポリシー情報は、オペレータによって事前設定されてもよく、少なくとも、ＭＴＣグループ識別情報と、ＭＴＣグループに対応するルールとを含む。これらのルールは、限定されないが：
−  特定の時間または地域またはコンテンツに対応するホワイトリスト。すなわち、ＭＴＣグループメッセージは、特定の時間において、ホワイトリスト上のＵＥにのみ送られる。または、ＭＴＣグループメッセージは、特定の地域におけるホワイトリスト上のＵＥにのみ送られる。または、特定のコンテンツについて、ＭＴＣグループメッセージは、ホワイトリスト上のＵＥにのみ送られる。
−  特定の時間または地域またはコンテンツに対応するブラックリスト。すなわち、ＭＴＣグループメッセージは、特定の時間内に、ブラックリスト上のＵＥに送られることができない。または、ＭＴＣグループメッセージは、特定の地域におけるブラックリスト上のＵＥに送られることができない。または、特定のコンテンツについて、ＭＴＣグループメッセージは、ブラックリスト上のＵＥに送られることはできない。
−  メッセージ配信に関する時間制限。たとえば、ネットワークの輻輳を緩和するために、メッセージは特定の期間においてのみ送られ得る。
−  グループサイズに関する制約。これは、グループによって許可されるＵＥの最大数に言及する。このようにして、より大きなグループによって生成された過剰なメッセージが、ネットワーク処理における負荷を増大させることを阻止し得る。ポリシーが、グループサイズに関する制約を備え、かつグループの現在のメンバの数が、グループによって許可された最大数より大きい場合、ＭＴＣ−ＩＷＦは、最大数にしたがってグループを複数のサブグループに分割し、その後、複数のサブグループそれぞれにグループメッセージを送信し得る。
−  ＵＥ返信のためのポリシー、これは、ＵＥ返信が要求されているか否か、ＵＥ返信が要求される場合は、中継を許可する時間に言及する。
−  グループメッセージのルーティングパス。これは、グループメッセージが、どのネットワーク要素：ＭＭＥまたはＳＭＳＣまたはＰＧＷまたは他のネットワーク要素、によって送られるのかに言及する。ルーティングパスを指定することによって、パスを最適化し、ネットワーク負荷を軽減するという目的が達成され得る。
−  グループメッセージの中継モード。これは、メッセージが、ＧＷまたはプライマリＵＥのいずれを介して中継されるかに言及する。
のうちの１つまたは複数であり得る。
【００５０】
ＭＴＣ−ＩＷＦ１６によって送られたポリシー情報要求を受信した後、ＰＣＲＦ１４は、ＭＴＣグループ１の識別情報にしたがって、グループに対応するポリシー情報を検索し、その後、ポリシー情報を、ＭＴＣ−ＩＷＦ１６に送信する。
【００５１】
第２の受信手段２０３は、ＭＴＣグループ１のグループメッセージ配信に関するポリシーを備えたポリシー情報要求に対する返信を、ＰＣＲＦ１４から受信する。
【００５２】
その後、制御手段２０４は、受信されたポリシーにしたがって、ＭＴＣグループ１のグループメッセージの配信を制御する。制御手段２０４は、ポリシー情報におけるルールにしたがって、そして、現在の条件を考慮に入れて、ＭＴＣグループ１内のグループメンバのメッセージの配信を制御、すなわち、ＭＴＣグループ１内の各メンバのデバイストリガプロセスを順にトリガする。ここにおける、および後続するプロセスは、従来技術に属し、ここでは記載されない。
【００５３】
１つの実施形態では、ポリシー情報は、メッセージ配信に関する時間制限の情報を含む。現在の時間が、メッセージ配信を許可する時間ではない場合、制御手段２０４は、メッセージ配信を許可する時間を備えるインジケーションメッセージをＳＣＳ１７に送信する。上述したインジケーションメッセージを受信すると、ＳＣＳ１７は、メッセージ配信を許可する時間が到来したときに、要求メッセージをＭＴＣ−ＩＷＦ１６に再び送信する。このとき、制御手段２０４は、ＭＴＣグループ１内のメンバＵＥにグループメッセージを送信する。
【００５４】
さらに別の実施形態では、ポリシー情報は、グループサイズに関する制約の情報を含む。ポリシーが、グループサイズに関する制約を備え、かつＭＴＣグループ１の現在のメンバの数が、グループによって許可された最大数より大きい場合、制御手段２０４は、グループによって許可される最大数にしたがって、グループを複数のサブグループに分割し、その後、複数のサブグループそれぞれにグループメッセージを送信し得る。
【００５５】
さらに別の実施形態では、ポリシー情報は、グループメッセージのルーティングパスの情報を含む。ポリシーが、グループメッセージのルーティングパスを備えている場合、制御手段２０４は、ルーティングパスによって指定されたネットワーク要素を介して、ＭＴＣグループ１内のＵＥにメッセージを送信する。
【００５６】
さらに別の実施形態では、制御手段２０４は、ＭＴＳグループ１内のグループメンバのメッセージ配信を制御するために、受信されたポリシー情報を、ＨＳＳ１５から取得されたＭＴＣグループ１のグループデータと、さらに組み合わせ得る。たとえば、制御手段２０４は、ＨＳＳ１５からグループメンバの基本情報または位置情報またはローミング情報を取得し、ときにはこの情報は、グループメッセージの配信ルールを定義するために使用される。
【００５７】
本開示は、たとえば、特定用途向け集積回路（ＡＳＩＣ）、汎用コンピュータ、または任意の他の類似のハードウェアデバイスによって、ソフトウェアおよび／またはソフトウェアとハードウェアの組合せで実装され得ることが注目される。１つの実施形態では、本開示のソフトウェアプログラムは、上述したステップまたは機能を実装するためにプロセッサによって実行され得る。同様に、本開示のソフトウェアプログラム（関連するデータ構造を含む）は、ＲＡＭメモリ、磁気または光学ドライブ、またはフロッピーディスク等のようなコンピュータ可読記録媒体に記憶され得る。それに加えて、本開示のステップまたは機能のいくつかは、ハードウェアで、たとえば、プロセッサと協働して様々なステップまたは機能を実行するための回路として実装され得る。
【００５８】
それに加えて、本開示の一部は、コンピュータによって実行された場合に、本開示による方法および／または技術的スキームを起動または提供し得るコンピュータプログラム命令のようなコンピュータプログラム製品として適用され得る。本開示の方法を起動するプログラム命令は、固定された、または、リムーバブルな記録媒体に記憶され得、および／または、ブロードキャストまたは他のシグナリングベアラ媒体で、データストリームを通して送信され得、および／または、プログラム命令にしたがって実行されるコンピュータデバイスの作業メモリに記憶され得る。コンピュータプログラム命令を記憶するためのメモリと、プログラム命令を実行するためのプロセッサとを備える、本開示の１つの実施形態による装置が提供され、コンピュータプログラム命令がプロセッサによって実行されると、装置は、本開示の実施形態による、前述した方法および／または技術的解決策に基づいて動作させられる。
【００５９】
本開示は、上述した例示的な実施形態の詳細に限定されず、本開示は、その主旨または本質的な特徴から逸脱することなく、他の特定の形態で実現され得ることが当業者に明らかであろう。したがって、本開示はあらゆる点で、例示的であり限定的ではないと考慮されるべきであり、本開示の範囲は、前述した記載ではなく、添付された特許請求の範囲によって定義され、したがって、添付された特許請求の範囲内のすべての変形を含むことが意図されている。特許請求の範囲におけるいずれの参照符号も、特許請求の範囲を限定するものとして解釈されるべきではない。それに加えて、「含む（ｉｎｃｌｕｄｉｎｇ）」という用語は、他のユニットまたはステップを除外せず、単数形は複数形を除外しないことが明らかである。また、デバイスの請求項で記載されている複数の要素またはデバイスは、ユニットまたはデバイスによって、ソフトウェアまたはハードウェアによっても実装され得る。名称を表現するために使用される第１、第２、および他の文言は、いずれの特定の順序も示していない。
【図１】
2019525555.tif 000003
【図２】
2019525555.tif 000004
【国際調査報告】
2019525555.tif 000005
2019525555.tif 000006
2019525555.tif 000007